【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
入力画像を取得する画像取得部と、
ユーザにより使用される操作体を前記入力画像内で認識する認識部と、
前記入力画像に対応する出力画像であって、前記ユーザにより操作される複数のオブジェクトが重畳された前記出力画像を画面に表示させ、前記操作体の認識結果に基づいて、少なくとも１つのオブジェクトの表示を制御する制御部と、
を備え、
前記制御部は、前記操作体の認識前に前記画面に表示されている前記複数のオブジェクトの表示位置を、前記操作体の認識後に前記ユーザに向けてそれぞれ接近させる、
情報処理装置。
【請求項２】
前記制御部は、各オブジェクトに設定される優先度に従って、各オブジェクトの前記ユーザに向けての接近の態様を変化させる、請求項１に記載の情報処理装置。
【請求項３】
前記制御部は、より高い前記優先度を有するオブジェクトの操作が前記ユーザにとってより容易となるように、前記複数のオブジェクトの接近速度、接近開始タイミング、接近後の表示位置、表示サイズ、透明度及び深度のうちの少なくとも１つを設定する、請求項２に記載の情報処理装置。
【請求項４】
前記制御部は、より高い前記優先度を有するオブジェクトの前記ユーザに向けた接近速度をより速く設定する、請求項３に記載の情報処理装置。
【請求項５】
前記情報処理装置は、各オブジェクトについての操作履歴又は前記ユーザの属性に関連する設定基準に従って前記複数のオブジェクトの各々に前記優先度を設定する優先度設定部、をさらに備える、請求項２〜４のいずれか１項に記載の情報処理装置。
【請求項６】
前記情報処理装置は、各オブジェクトに関連付けられる処理を実行するアプリケーション部、をさらに備え、
前記制御部は、第１のイベントに応じて、前記操作体により指定されるオブジェクトに関連付けられる処理を前記アプリケーション部に実行させる、
請求項１〜５のいずれか１項に記載の情報処理装置。
【請求項７】
前記制御部は、第２のイベントに応じて、前記複数のオブジェクトの前記画面上での動きを停止させる、請求項１〜６のいずれか１項に記載の情報処理装置。
【請求項８】
前記制御部は、前記複数のオブジェクトの動きが停止した後、第３のイベントに応じて、前記複数のオブジェクトの表示位置を画像内の基準点の周りに回転させる、請求項７に記載の情報処理装置。
【請求項９】
前記制御部は、第４のイベントに応じて、前記操作体の近傍の少なくとも１つのオブジェクトの表示位置を前記ユーザから遠ざける、請求項１〜８のいずれか１項に記載の情報処理装置。
【請求項１０】
前記複数のオブジェクトは、予め定義される複数のカテゴリのうち第１のカテゴリに属し、
前記制御部は、第５のイベントに応じて、前記入力画像に重畳されている前記複数のオブジェクトを、前記第１のカテゴリとは異なる第２のカテゴリに属するオブジェクトに置き換える、
請求項１〜９のいずれか１項に記載の情報処理装置。
【請求項１１】
前記操作体は、前記ユーザの手であり、
前記第１のイベントは、前記ユーザの所定のジェスチャの前記認識部による認識である、
請求項６〜１０のいずれか１項に記載の情報処理装置。
【請求項１２】
前記第１のイベントは、前記ユーザにより発せられる所定の音声コマンドの認識である、請求項６〜１０のいずれか１項に記載の情報処理装置。
【請求項１３】
前記制御部は、前記操作体により指定されるオブジェクトの表示位置を前記操作体と共に移動させ、
前記第１のイベントは、所定の画面領域への前記オブジェクトの移動である、請求項６に記載の情報処理装置。
【請求項１４】
前記制御部は、前記操作体により指定されるオブジェクトに関連付けられる処理の数に相当する数の前記画面領域を前記画面に設定する、請求項１３に記載の情報処理装置。
【請求項１５】
前記第１のカテゴリ及び前記第２のカテゴリは、互いに異なる画面領域に関連付けられ、
前記第５のイベントは、前記第１のカテゴリに関連付けられる第１の画面領域から前記第２のカテゴリに関連付けられる第２の画面領域への前記操作体の移動である、
請求項１０に記載の情報処理装置。
【請求項１６】
前記操作体は、前記ユーザの右手及び左手であり、
前記制御部は、前記複数のオブジェクトのうちの第１のグループを、前記右手及び前記左手のうち一方の認識後に当該認識された一方に向けて接近させ、前記複数のオブジェクトのうちの第２のグループを、前記右手及び前記左手のうち他方の認識後に当該認識された他方に向けて接近させる、
請求項１〜１５のいずれか１項に記載の情報処理装置。
【請求項１７】
前記操作体は、第１のユーザの手及び第２のユーザの手であり、
前記制御部は、前記複数のオブジェクトのうちの第１のグループを、前記第１のユーザの手の認識後に前記第１のユーザに向けて接近させ、前記複数のオブジェクトのうちの第２のグループを、前記第２のユーザの手の認識後に前記第２のユーザに向けて接近させる、
請求項１〜１５のいずれか１項に記載の情報処理装置。
【請求項１８】
前記制御部は、少なくとも１つのオブジェクトを指定する第６のイベントに応じて、当該指定されるオブジェクトに関連付けられる処理を前記アプリケーション部に実行させ、
前記第６のイベントは、前記指定されるオブジェクトに対する他のユーザの所定のジェスチャの認識である、
請求項６に記載の情報処理装置。
【請求項１９】
情報処理装置により実行される情報処理方法において、
入力画像を取得することと、
ユーザにより使用される操作体を前記入力画像内で認識することと、
前記入力画像に対応する出力画像であって、前記ユーザにより操作される複数のオブジェクトが重畳された前記出力画像を画面に表示させることと、
前記操作体の認識前に前記画面に表示されている前記複数のオブジェクトの表示位置を、前記操作体の認識後に前記ユーザに向けてそれぞれ接近させることと、
を含む情報処理方法。
【請求項２０】
情報処理装置を制御するコンピュータを、
入力画像を取得する画像取得部と、
ユーザにより使用される操作体を前記入力画像内で認識する認識部と、
前記入力画像に対応する出力画像であって、前記ユーザにより操作される複数のオブジェクトが重畳された前記出力画像を画面に表示させ、前記操作体の認識結果に基づいて、少なくとも１つのオブジェクトの表示を制御する制御部と、
として機能させ、
前記制御部は、前記操作体の認識前に前記画面に表示されている前記複数のオブジェクトの表示位置を、前記操作体の認識後に前記ユーザに向けてそれぞれ接近させる、
プログラム。
【手続補正２】
【補正対象書類名】明細書
【補正対象項目名】００３１
【補正方法】変更
【補正の内容】
【００３１】
［２−２．機能構成例］
図４は、図３に示した情報処理装置１００のメモリ１０５及びプロセッサ１１２により実現される論理的機能の構成の一例を示すブロック図である。図４を参照すると、情報処理装置１００は、画像取得部１２０、音声取得部１３０、アプリケーション部１４０、認識部１５０、特徴データベース（ＤＢ）１６０、制御部１７０及び操作ＤＢ１８０を備える。認識部１５０は、画像認識部１５２及び音声認識部１５４を含む。制御部１７０は、操作制御部１７２及び優先度設定部１７４を含む。
【手続補正３】
【補正対象書類名】明細書
【補正対象項目名】００８７
【補正方法】変更
【補正の内容】
【００８７】
図２０は、図１８の第４の例に対応する優先度データの一例を示す説明図である。図２０を参照すると、優先度データ１８２ｂは、「オブジェクトＩＤ」、「推薦スコア」及び「優先度」という３つのデータ項目を含む。「オブジェクトＩＤ」は、各ＵＩオブジェクトを一意に識別するための識別子である。「推薦スコア」は、ユーザの属性とコンテンツに関する情報とに基づいて（任意の公知の推薦アルゴリズムにより）算出される推薦スコアを示す。「優先度」は、各ＵＩオブジェクトに設定された優先度を示す。ここでは一例として、優先度は、高（High）、中（Middle）及び低（Low）の３段階で設定されるものとする。図２０の例では、ＵＩオブジェクトＢ２１の推薦スコアが最も多く、従って、ＵＩオブジェクトＢ２１の優先度は高（High）に設定されている。ＵＩオブジェクトＢ２２及びＢ２５の推薦スコアは２番目及び３番目に多く、従って、ＵＩオブジェクトＢ２２及びＢ２５の優先度は中（Middle）に設定されている。残るＵＩオブジェクトＢ２３、Ｂ２４及びＢ２６の優先度は低（Low）に設定されている。
【手続補正４】
【補正対象書類名】明細書
【補正対象項目名】０１５７
【補正方法】変更
【補正の内容】
【０１５７】
ステップＳ１３５において、操作制御部１７２は、ＵＩオブジェクトの新たなセットをセットアップする（ステップＳ１３５）。例えば、操作制御部１７２は、前のフレームにおいて表示されていたＵＩオブジェクトのセットとは異なるカテゴリに属するＵＩオブジェクトのセットを特定する。そして、操作制御部１７２は、新たなセットに含まれるＵＩオブジェクトを、既定の表示位置に配置する（ステップＳ1４０）。その後、処理はステップＳ１４５へ進む。
【手続補正５】
【補正対象書類名】図面
【補正対象項目名】図２８
【補正方法】変更
【補正の内容】
【図２８】
2014127124.tif 000001